(57)【要約】【課題】ＣＤ、ＤＶＤ等の記録媒体を収納した貸出しケース、又は雑誌等の物品上端部を上方へ突出した状態で収納するレンタル用カバーケースであって、極めて簡単で安く製作することが出来るようにしたレンタル用カバーケースの提供。【解決手段】このレンタル用カバーケースは胴体部１と台座２から成り、胴体部１は所定形状に裁断した板材を折り曲げた筒体であり、胴体部１に樹脂の成形品である台座２を取着している。又胴体部１の上端には内側へ折り返した耳部８を有している。【選択図】        図１
2004276947.tif 000002
【特許請求の範囲】
【請求項１】
ＣＤ，ＤＶＤ等の記録媒体を収納した貸出しケース、又は雑誌等の物品上端部を上方へ突出した状態で収容するレンタル用カバーケースにおいて、該レンタル用カバーケースは胴体部と台座から成り、胴体部は所定形状に裁断した板材を折り曲げた筒体であり、該胴体部に樹脂の成形品である上記台座を取着したことを特徴とするレンタル用カバーケース。
【請求項２】
上記胴体部の上端には内側に折り返した耳部を設けた請求項１記載のレンタル用カバーケース。
【請求項３】
上記台座には嵌入部と外周部を有し、嵌入部を胴体部下端の内部空間に嵌めて取着した請求項１、又は請求項２記載のレンタル用カバーケース。
【発明の詳細な説明】
【０００１】
【発明の属する技術分野】
本発明は雑誌やビデオテープ、ＣＤ，ＤＶＤ等の記録媒体等をレンタルショップの陳列棚に配列してレンタルする為のレンタル用カバーケースに関するものである。
【０００２】
【従来の技術】
音楽や映像を記録したＣＤ，ＤＶＤ等の円盤状記録媒体（ディスク）、ビデオテープ、及び雑誌等は、貸出しケースに収納された状態でレンタルされる。そして、該貸出しケースはレンタル用カバーケースに入れられてレンタルショップの陳列棚に配列されている。図７は従来から周知であるビデオテープのレンタル形態を示している場合であるが、レンタル用カバーケース（イ）には上端が開口していて、この上端開口からビデオテープを収納している貸出しケース（ロ）が収容されている。この場合、貸出しケース（ロ）の上端部はレンタル用カバーケース（イ）から上方へ突出している。
【０００３】
ところで、上記レンタル用カバーケース（イ）は樹脂を材質として射出成形されるが、図８は該レンタル用カバーケース（イ）の展開図を示している。レンタル用カバーケース（イ）はケース本体（ハ）、ケース蓋（ニ）、及び繋ぎ部（ホ）から成って、ケース蓋（ニ）をケース本体（ハ）に被覆して閉じることで箱型容器となり、上端開口から貸出しケース（ロ）が収容され得る。そして、ケース本体（ハ）の底部には貸出しケース（ロ）が載って支持される底板（ヘ）が取付けられている。
【０００４】
該レンタル用カバーケース（イ）は射出成形され、外表面には表紙を挿入する為の透明シートが熱溶着されている。レンタル用カバーケース（イ）を所定の寸法・形状に射出成形する為には、成形用の金型が必要であり、該成形金型の製作費は高く、製品となるレンタル用カバーケースに上乗せされる。勿論、成形されたレンタル用カバーケースはその肉厚は厚くて丈夫であるが、その分だけ幅寸法は大きくなり、陳列棚に配列されるレンタル用カバーケース（イ）、（イ）・・の個数は少なくなる。
【０００５】
【発明が解決しようとする課題】
このように、従来のレンタル用のカバーケースには上記のごとき問題がある。本発明が解決しようとする課題はこの問題点であり、レンタル用カバーケースを射出成形だけに頼ることなく、樹脂製の板材を折り曲げ成形することで極めて簡単で安く製作出来るレンタル用カバーケース提供する。
【０００６】
【課題を解決する為の手段】
本発明に係るレンタル用カバーケースは、樹脂製の板材を折り曲げ成形して製作された箱形容器であり、上端は開口している。従って、貸出しケースは上端開口から挿入されて、その上端部は開口から上方へ突出した状態で陳列され、前記図７に示す形態と共通する。そこで、本発明のレンタル用カバーケースは胴体部と台座の２ピース構造であり、樹脂製板材を折り曲げて長方形断面の筒形をした胴体部の下端には台座が取付けられる。
【０００７】
上記台座は樹脂製の成形品として構成され、胴体部には係止又は溶着などの手段にて固定される。そして、胴体部の上端開口には耳部が折返しされて形成され、該耳部には表紙が離脱しないように挟まれる。ところで、本発明のレンタル用カバーケースはその対象を特に限定せず、ビデオテープ、ＣＤ，ＤＶＤなどのディスク、又雑誌等のレンタル用として使用され、その大きさ・形状は対象物により変わる。以下、本発明に係る実施例を図面に基づいて詳細に説明する。
【０００８】
【実施例】
図１は本発明に係るレンタル用カバーケースを示す実施例である。同図の１は胴体部、２は台座を表わし、該台座２は胴体部１の下端に取着されていて、胴体部１の内部は収容空間３を形成している。ここで、胴体部１は樹脂製の板材を所定の形状に裁断し、これを折り曲げ成形して製作される。図２は裁断された樹脂製の板材であり、表面部４、背面部５、側面部６、及び側面部７ａ，７ｂ、さらに耳部８，９，１０を有している。
【０００９】
同図の点線部にて折り曲げられて図３に示す胴体部１が作られる。ここで、側面部７ａと側面部７ｂは互いに重なり合って止着されて筒形と成り、耳部８，９，１０は内側に折り曲げられる。そして、該胴体部１の下端に台座２が嵌って取着され、収容空間３に挿入される貸出しケースの支持底と成る。
【００１０】
図４は台座２を示している具体例である。該台座２は嵌入部１１と外側部１２から成って、外側部１２は嵌入部１１の下端外側に形成されていて、外側部１２は嵌入部１１の下端より一回り大きくて、当り面１３を上面全周に設けている。嵌入部１１は４側面が共に傾斜すると共に、上面とのコーナーは滑らかな曲面と成っている。
【００１１】
該台座２は樹脂の射出成形品であって、その強度並びに剛性は高く、この台座２の嵌入部１１は筒形をした胴体部１の下端に嵌入される。胴体部１は図２に示した板材を折り曲げ成形した筒体であり、板材の厚さも薄い為に強度及び剛性は低い。そこで、下端部の収容空間３に嵌入することで胴体部１の形状が定まり、しかも下端に台座２が嵌着されることで転倒することなく、安定して起立することが出来る。
【００１２】
ここで、胴体部１の収容空間下端に嵌った台座２は離脱しないように固定されるが、固定手段は限定しない。嵌入部１１の下端にツメ１４，１４を設けると共に、胴体部１の側面部６，７には係止穴１５，１５を形成し、該ツメ１４，１４を係止穴１５，１５に係止した状態で溶着して固定することも出来る。
【００１３】
前記図１は胴体部１に台座２を取付けた状態のレンタル用カバーケースであり、胴体部１の上端に形成している耳部８，９，１０は内側に曲げられている。そして、該レンタル用カバーケースに収容されて貸し出される雑誌、ＣＤ、ＤＶＤなどの内容を表示した表紙は胴体部１の内周に巻付き、その上端は耳部８，９，１０に係止して胴体部１から外れることはない。
【００１４】
図５はレンタル用カバーケースの内側に表紙１８を挿入する場合を示す具体例である。この際、表紙挿入具１９が使用され、表紙受け面２０，２０に表紙１８を巻付け、この状態で（ｂ）に示すように胴体部１に挿入する。表紙挿入具１９の下端には２個の凸部（図示なし）が突出しているが、該凸部は台座上面１７に形成している穴２１，２１に嵌って位置決めされ、表紙１８は胴体部内面に正しく取付けられる。拍子８を挿入した後で表紙挿入具１９は抜き取られ、胴体部１の上端に設けている耳部８，９，１０に係止して外れないようになる。勿論、表紙挿入具１９を必ずしも使用する必要はない。
【００１５】
図６はレンタル用カバーケースに雑誌１６を収容した場合を示している。該雑誌１６は収容空間３に挿入されて台座２の上面１７に載置され、雑誌１６の上端部は開口から上方へ突出している。この雑誌は貸出しケースに収納されることなく、そのままの状態でレンタル用カバーケースに収容されている。このように、各種雑誌はレンタル用カバーケースに収容された状態で陳列棚に配列され、客は該レンタル用カバーケースから所望の雑誌を抜き取って借りることが出来る。
【００１６】
ＣＤやＤＶＤ等のディスクの場合には、そのままレンタル用カバーケースに中に収容することは出来ない為に、一旦、貸出しケースに収納し、該貸出しケースをレンタル用カバーケースに収容することが出来る。以上述べたように、本発明のレンタル用カバーケースは薄い板材を折り曲げ成形した筒形の胴体部の下端に台座を嵌めて取着したものであり、次のような効果を得ることが出来る。
【００１７】
【発明の効果】
本発明のレンタル用カバーケースは胴体部と台座の２ピースで構成され、胴体部は樹脂製の板材を折り曲げ成形にて製作することが出来、この胴体部に成形された台座を嵌めて取着されている。胴体部は板材を折り曲げて作ることが出来、従来のような高価な成形金型を必要としないことでコストは安くなる。勿論、台座は成形品であるが、小さな部材である為にカバーケース全体を成形する金型に比較して安く、２ピース構造としてもトータル的には安くなる。
【００１８】
そして、板材を折り曲げられた胴体部の下端に成形された台座が嵌って取付けられることで、ケース全体の強度・剛性が高くなり、しかも転倒することなく安定して起立することが出来る。又、表示は胴体部の内側に挿入されるが、胴体上端に折返し耳部に係止して外れることはない。胴体部を構成する板材は０．３〜０．５ｍｍ程度であり、収容される貸出しケースとの間に大きな隙間を残すことはなく製作することで、同一サイズの陳列棚には多数のレンタル用カバーケースを配列することが出来る。
【図面の簡単な説明】
【図１】本発明に係るレンタル用カバーケースの実施例。
【図２】板材から成る胴体部の展開図。
【図３】折り曲げ成形した胴体部。
【図４】台座の具体例。
【図５】表紙を胴体部の内側に挿入する手順。
【図６】レンタル用カバーケースに雑誌を収容した場合。
【図７】従来のレンタル用カバーケースに貸出しケースを収容した場合。
【図８】従来のレンタル用カバーケースの展開図。
【符号の説明】
１  胴体部
２  台座
３  収容空間
４  表面部
５  背面部
６  側面部
７  側面部
８  耳部
９  耳部
１０  耳部
１１  嵌入部
１２  外側部
１３  当り面
１４  ツメ
１５  係止穴
１６  雑誌
１７  上面
１８  表紙
１９  表紙挿入具
２０  表紙受け面
２１  穴
【図１】
2004276947.tif 000003
【図２】
2004276947.tif 000004
【図３】
2004276947.tif 000005
【図４】
2004276947.tif 000006
【図５】
2004276947.tif 000007
【図６】
2004276947.tif 000008
【図７】
2004276947.tif 000009
【図８】
2004276947.tif 000010